(57)【要約】  生体光計測装置においては、被検体に光を照射する複数の光照射プローブと、上記被検体から戻る光を検出する複数の光検出プローブとを有し、上記被検体に装着される装着部と、上記光検出プローブでの検出光量を計測する計測部と、上記検出光量の計測結果から２次元トポグラフィ画像を構成する２次元画像構成部と、上記２次元トポグラフィ画像を表示するモニタとを備える生体光計測装置において、上記２次元トポグラフィ画像を計測位置に対応させるとともに計測時間順に重畳することによって立体画像を構成する立体画像構成部を備え、上記モニタは上記立体画像を表示する。
2007135993.tif 000002
【特許請求の範囲】
【請求項１】
被検体に光を照射する複数の光照射プローブと、上記被検体から戻る光を検出する複数の光検出プローブとを有し、上記被検体に装着される装着部と、上記光検出プローブでの検出光量を計測する計測部と、上記検出光量の計測結果から２次元トポグラフィ画像を構成する２次元画像構成部と、上記２次元トポグラフィ画像を表示するモニタとを備える生体光計測装置において、
上記２次元トポグラフィ画像を計測位置に対応させるとともに計測時間順に重畳することによって立体画像を構成する立体画像構成部を備え、上記モニタは上記立体画像を表示することを特徴とする生体光計測装置。
【請求項２】
上記２次元トポグラフィ画像を記憶する記憶部を備え、上記立体画像構成部は上記記憶部に記憶された上記２次元トポグラフィ画像を重畳することによって上記立体画像を構成することを特徴とする請求項１記載の生体光計測装置。
【請求項３】
上記立体画像構成部は、上記計測位置及び計測時間について互いに隣接する計測結果情報を補間しつつ上記立体画像を作成することを特徴とする請求項１記載の生体光計測装置。
【請求項４】
上記立体画像構成部は、上記計測結果情報の閾値を設定可能となっているとともに、設定された閾値を境界として上記計測結果情報の表示・非表示を選択可能となっていることを特徴とする請求項１乃至請求項３のいずれか１項に記載の生体光計測装置。
【請求項５】
上記立体画像構成部は、上記計測結果としてのヘモグロビン濃度の変化量が閾値以上である部位を活性化部として立体画像内に着色表示し、ヘモグロビン濃度の変化量が閾値未満の部位は透明とすることを特徴とする請求項４記載の生体光計測装置。
【請求項６】
上記立体画像構成部は、上記活性化部を所定の透明度で表示可能であることを特徴とする請求項５記載の生体光計測装置。
【請求項７】
上記立体画像構成部は、各時刻のヘモグロビン濃度のピーク位置を繋ぐ矢印を立体画像内に表示させることを特徴とする請求項４に記載の生体光計測装置。
【請求項８】
各計測位置における計測値の時間変化を示すグラフを構成するグラフ群構成部を備え、上記計測位置に対応するように並べたグラフ群を上記立体画像とともに上記モニタに表示させることを特徴とする請求項１に記載の生体光計測装置。
【請求項９】
上記記憶部から上記２次元トポグラフィ画像を読み出し、上記立体画像とともに上記モニタに表示させることを特徴とする請求項２に記載の生体光計測装置。
【請求項１０】
上記立体画像構成部は、上記２次元トポグラフィ画像に対応する時刻を表す時刻マークを上記立体画像に付加して上記モニタに表示させることを特徴とする請求項２記載の生体光計測装置。
【請求項１１】
上記立体画像構成部は、上記時刻マークを所定の速度で時間軸方向に沿って移動させるとともに、上記２次元トポグラフィ画像の内容を上記時刻マークの位置に対応して連続して変化させることを特徴とする請求項９記載の生体光計測装置。
【請求項１２】
上記立体画像構成部は、任意の角度の上記立体画像を上記モニタに表示させることを特徴とする請求項１記載の生体光計測装置。
【請求項１３】
上記立体画像構成部は、課題開始から課題終了までの時間帯の上記立体画像を上記課題開始前及び上記課題終了後の時間帯領域の上記立体画像の色と異なる色で上記モニタに表示させることを特徴とする請求項１記載の生体光計測装置。
【請求項１４】
上記立体画像構成部は、上記立体画像の活性化部に陰影を付加して上記モニタに表示させることを特徴とする請求項１記載の生体光計測装置。
【請求項１５】
上記立体画像構成部は、上記立体画像の任意の断面画像を作成し、上記断面画像を上記モニタに表示させることを特徴とする請求項１記載の生体光計測装置。
【請求項１６】
上記立体画像から酸素化ヘモグロビンの増加が始まる時間を計測する画像解析部を備え、その時間を上記モニタに表示させることを特徴とする請求項１記載の生体光計測装置。
【請求項１７】
上記画像解析部は、上記立体画像の傾きを計測することを特徴とする請求項１６記載の生体光計測装置。
【請求項１８】
上記画像解析部は、上記立体画像の体積を計測することを特徴とする請求項１６記載の生体光計測装置。
【発明の詳細な説明】
【技術分野】
【０００１】
この発明は、光を用いて被検体の光学特性を計測する生体光計測装置に関するものである。
【背景技術】
【０００２】
従来の生体光計測装置では、検出光の強度信号が計測位置を表す二次元表示面に等高線画像として表示される。等高線画像は、計測したヘモグロビン濃度の相対変化量の時間積分値（又は時間平均値）を計算し、各計測点間の値を線形補間することにより作成される（例えば、特許文献１参照）。【０００３】
【特許文献１】特開平９−１９４０８号公報
【発明の開示】
【発明が解決しようとする課題】
【０００４】
しかし、上記のような従来の生体光計測装置では、計測時刻毎に等高線画像を作成しているため、ある時刻におけるヘモグロビン濃度の変化量を空間的に認識することはできるものの、ヘモグロビン濃度の変化量の時間的な振る舞いを視覚的に認識することが難しかった。【０００５】
この発明は、上記のような課題を解決するためになされたものであり、計測結果情報の時間変化の視覚的な認識を容易にすることができる生体光計測装置を得ることを目的とする。
【課題を解決するための手段】
【０００６】
この発明に係る生体光計測装置は、被検体に光を照射する複数の光照射プローブと、上記被検体から戻る光を検出する複数の光検出プローブとを有し、上記被検体に装着される装着部と、上記光検出プローブでの検出光量を計測する計測部と、上記検出光量の計測結果から２次元トポグラフィ画像を構成する２次元画像構成部と、上記２次元トポグラフィ画像を表示するモニタとを備える生体光計測装置において、上記２次元トポグラフィ画像を計測位置に対応させるとともに計測時間順に重畳することによって立体画像を構成する立体画像構成部を備え、上記モニタは上記立体画像を表示する。
【図面の簡単な説明】
【０００７】
【図１】本発明の実施の形態１による生体光計測装置の概略構成を示すブロック図である。
【図２】図１のモニタに表示されるボディマークの一例を示す説明図である。
【図３】図１の照射計測部による計測結果情報をグラフ表示する例を示す説明図である。
【図４】図１の照射計測部による計測結果情報を立体画像として表示する例を示す説明図である。
【図５】図１の表示制御部により作成される２次元トポグラフィ画像の一例を示す説明図である。
【図６】図５のような２次元トポグラフィ画像を計測時間順に時間軸方向に重畳した状態を示す説明図である。
【図７】図６の隣接する２次元トポグラフィ画像間を補間した状態を示す説明図である。
【図８】図１のモニタに不透明な立体画像を表示した例を示す説明図である。
【図９】図８の立体画像を所定の透明度で表示した例を示す説明図である。
【図１０】図４の立体画像を前頭上部から下向きに見た表示状態を示す説明図である。
【図１１】図４の立体画像から抽出される３種類の断面画像の例を示す説明図である。
【図１２】図３のグラフ群、図４の立体画像及び図１１の冠状断面トポグラフィ画像を組み合わせて表示する例を示す説明図である。
【図１３】統合失調症被検者の計測結果情報を立体画像として表示した例を示す説明図である。
【図１４】うつ病被検者の計測結果情報を立体画像として表示した例を示す説明図である。
【図１５】本発明の表示制御部の構成を示すブロック図である。
【発明を実施するための最良の形態】
【０００８】
以下、この発明を実施するための最良の形態について、図面を参照して説明する。
実施の形態１．
図１はこの発明の実施の形態１による生体光計測装置の概略構成を示すブロック図である。被検体に装着される装着部１は、光照射プローブ群２、光検出プローブ群３、及びプローブ群２，３を保持するホルダ（図示せず）を有している。光照射プローブ群２は、被検体に光を照射する複数の光照射プローブを含んでいる。光検出プローブ群３は、被検体から戻る光を検出する複数の光検出プローブを含んでいる。光照射プローブ及び光検出プローブは、ホルダ上にマトリクス状に配置されている。また、光照射プローブ及び光検出プローブは、交互に配置されている。【０００９】
装着部１は、複数本の照射用光ファイバを含む照射用光ファイバ群４と複数本の検出用光ファイバを含む検出用光ファイバ群５とを介して計測装置本体６に接続されている。計測装置本体６は、照射計測部７、表示制御部８及びモニタ９と、入力部９を有している。【００１０】
照射計測部７は、可視から赤外領域の波長の光を発生し光照射プローブ群２に送るとともに、各光検出プローブでの検出光量を計測する。また、照射計測部７は、検出光量の計測結果に対応する計測結果情報として、例えば血液中のヘモグロビン濃度の変化量を求める。表示制御部８は、照射計測部７で求めた計測結果情報を画像としてモニタ９に表示する。入力部９は、表示制御部８に画像表示についての指令を行う。表示制御部８は、図１５に示されるように、２次元画像構成部８０と、画像記憶部（ＲＯＭ、ＲＡＭ及びハードディスク等）８１と、立体画像構成部８２と、画像解析部８３と、グラフ群構成部８４と、制御部８５とから構成される。この制御部８５は、入力部９に接続され、入力部９からの入力情報に基づいて表示制御部８の各構成要素を制御する。２次元画像構成部８０は、照射計測部７によって計測されたヘモグロビン濃度の変化量と計測位置に基づいて、２次元トポグラフィ画像を作成する。画像記憶部８１は、２次元画像構成部８０で作成された２次元トポグラフィ画像を計測時間順に記憶する。立体画像構成部８２は、画像記憶部８１に記憶された２次元トポグラフィ画像を計測時間順に時間軸方向に重畳し、立体画像を構成する。そして、立体画像構成部は、構成された立体画像をモニタ９に表示させる。画像解析部８３は、時間などのパラメータを立体画像の形状と分布などから解析し、解析結果をモニタ９に表示させる。【００１１】
モニタ９には、計測結果情報に加えて、例えば図２に示されるようなボディマーク１０ａが表示される。ボディマーク記憶部（図示しない。）は、計測位置（計測点）の配置状態を模式的に示す複数のボディマークを予め作成し記憶している。そして、操作者は、ボディマーク記憶部に記憶されているボディマークのうちの１つを入力部２０及び制御部８５を介して選択し、選択したボディマークをモニタ９に表示する。また、図２のボディマーク１０ａは、計測領域が前頭部である場合を示している。さらに、この例では、計測位置は、チャンネル１〜チャンネル５２の５２箇所である。
各計測位置は、光照射プローブと光検出プローブとの間に位置している。光照射プローブから照射された光の一部は、計測位置で大脳皮質を透過し光検出プローブに入射する。このとき、光検出プローブでの検出光量は、計測位置のヘモグロビン濃度に応じて変化する。従って、検出光量の変化からヘモグロビン濃度の相対変化を計測することができる。また、計測結果情報とともにボディマークをモニタ９に表示することにより、計測結果と計測位置との概略の対応関係を把握することができる。【００１２】
また、グラフ群構成部８４は、照射計測部７から得られる検出光量の計測結果に対応する計測結果情報に基づいて、各計測位置におけるヘモグロビン濃度（計測値）の時間変化を示すグラフを計測位置に対応するように並べたグラフ群を構成する。そして、グラフ群構成部８４は、図３に示すように、このグラフ群をモニタ９に表示させる。図３の例は、計測領域が前頭部の場合を示している。各グラフにおいて、横軸は時間、縦軸はヘモグロビン濃度を示している。また、ヘモグロビン濃度としては、計測開始時点からの相対的な変化量が示されている。さらに、各グラフにおける実線は酸素化ヘモグロビン濃度を、破線は還元ヘモグロビン濃度を示している。この例では、計測時に被検者に語想起課題が与えられており、語想起課題開始時刻（ｔ１）と語想起課題終了時刻（ｔ２）とが各グラフに破線で示されている。【００１３】
ここで、語想起課題とは、例えば「Suto T, Fukuda M, Ito M, Uehara T, Mikuni M (2004) Multi-channel near-infrared spectroscopy in depression and schizophrenia: cognitive brain activation study. Biol Psychiatry 55: 501-511」に示されている検査方法の１つであり、被検者に様々な単語を想起させ発声させる課題である。図３を見ると、酸素化ヘモグロビンは、多くのチャンネルにおいて、語想起課題の開始とともに増加し、語想起課題の終了とともに減少している。【００１４】
次に、図４は図１の照射計測部７による計測結果情報を立体画像として表示する例を示す説明図である。立体画像は、計測領域に対応する長方形のヘモグロビン濃度分布図を時間軸方向に重畳した直方体として表示される。また、この例では、酸素化ヘモグロビン濃度の増減が色の濃淡で表現されているとともに、予め設定した閾値未満の変動は無視して透明としている。これにより、立体画像内には、酸素化ヘモグロビン濃度の変動の小さい透明部分と、酸素化ヘモグロビン濃度の変動が大きい活性化部１２とが含まれている。【００１５】
以下、表示制御部８による立体画像の作成方法について説明する。なお、ここでは計測領域が前頭部の場合について説明するが、他の計測領域であっても作成方法は同様である。図５は図１５の２次元画像構成部８０により作成される２次元トポグラフィ画像（等高線画像）の一例を示す説明図である。２次元画像構成部８０は、照射計測部７から得たある時刻における計測結果情報について、隣接する計測位置間（計測チャンネル間）のデータを補間することにより、図５に示すような２次元トポグラフィ画像を作成する。そして、画像記憶部８１に２次元トポグラフィ画像を記憶する。なお、画像記憶部８１から２次元トポグラフィ画像をモニタ９に出力して表示させることもできる。【００１６】
図５では、語想起課題開始から１０秒後の酸素化ヘモグロビン濃度の増減が色の濃淡で表現されている。また、ヘモグロビンの増加と減少とを互いに異なる色（例えば増加は赤、減少は青）で示すこともできる。図５中の濃い領域ではヘモグロビンが増加しており、淡い領域ではヘモグロビンが減少していることが分かる。【００１７】
図６は図５のような画像記憶部８１に記憶された２次元トポグラフィ画像を計測時間順に時間軸方向に重畳した状態を示す説明図、図７は図６の隣接する２次元トポグラフィ画像間を補間した状態を示す説明図である。立体画像構成部８２は、例えば０．１秒毎に２次元トポグラフィ画像を画像記憶部８１から計測時間順に読み出し、１秒につき１０枚の２次元トポグラフィ画像を重畳する。図５〜図７のような処理により、立体画像構成部８２は立体画像をモニタ９に出力し、モニタ９は立体画像を表示する。この２次元トポグラフィ画像の読み出し間隔は、入力部２０で任意に設定することができる。入力部２０で設定された読み出し間隔情報は立体画像構成部８２に出力され、立体画像構成部８２は入力された読み出し間隔情報に基づいて２次元トポグラフィ画像を重畳する。例えば、構成された立体画像の体積を計測したい場合、立体画像構成部８２は０．０２秒毎に２次元トポグラフィ画像を読み出し、１秒につき５０枚の２次元トポグラフィ画像を重畳して立体画像を構成する。また、簡易的に立体画像を表示したい場合、立体画像構成部８２は０．２秒毎に２次元トポグラフィ画像を読み出し、１秒につき５枚の２次元トポグラフィ画像を重畳して立体画像を構成する。【００１８】
このように、立体画像構成部８２は、ヘモグロビン濃度の変化量を計測領域に対応する面内に計測位置に対応するように表示した画像（２次元トポグラフィ画像）を、計測時間順に時間軸方向に重畳することにより、立体画像（３次元トポグラフィ画像）を作成しモニタ９に表示させる。このとき、立体画像構成部８２は、計測位置及び計測時間について互いに隣接する計測結果情報を補間しつつ立体画像を作成する。【００１９】
また、立体画像構成部８２は、計測結果情報の閾値を任意に設定可能となっているとともに、設定された閾値を境界として計測結果情報の表示・非表示を入力部２０で選択可能となっている。例えば、図４では、閾値が０．１［ｍ（ｍｏｌ／ｌ）×ｍｍ］に設定され、ヘモグロビン濃度の変化量が閾値０．１以上の領域を活性化部１３として着色表示し、閾値未満の部位は透明（非表示）としている。このような閾値を設定した表示方法としては、閾値以下の部位のみを着色表示する方法や、閾値を境界として異なる色で表示する方法等も可能である。【００２０】
さらに、入力部２０で任意の透明度を入力することにより、立体画像構成部８２は、立体画像内の活性化部１２を透明度で表示可能である。図８は図１のモニタ９に不透明な活性化部１２を表示した例を示す説明図、図９は図１０の活性化部１２を所定の透明度で表示した例を示す説明図である。図９に示すような表示方法を選択することにより、活性化部１２内の空洞・トンネル部分１１（ヘモグロビン濃度の変化が無い部分）を容易に視認することができる。透明度は、任意に調整可能である。また、空洞・トンネル部分１１の表示方法としては、ヘモグロビン濃度が変化した部分を透明とし、ヘモグロビン濃度の変化が無い部分１１を着色する反転表示も可能である。【００２１】
さらにまた、入力部２０で任意の角度を入力することにより、立体画像構成部８２は、立体画像を入力された角度で表示可能である。例えば、図１０は図４の立体画像を前頭上部から下向きに見た表示状態を示す説明図である。立体画像の回転は任意の方向に実施することができ、前頭下部から上向きに見た表示や、左右側頭部方向から見た表示等も可能である。
また、入力部２０で色情報を入力することにより、立体画像構成部８２は、課題開始（ｔ１）から課題終了（ｔ２）までの時間帯領域を課題開始前及び課題終了後の時間帯領域と異なる色で表示することができる。
さらに、立体画像構成部８２は、図４のような立体画像に対してライティングを行い、活性化部１２に陰影を付加することが可能である。また、ライティングのための光源の位置、照射方向及び明るさは、入力部２０で任意に設定可能である。【００２２】
図１０の立体画像に付された複数の矢印は、血液の賦活部位の移動方向を示している。立体画像構成部８２は、このような矢印（ストリームライン）を付すことも可能である。立体画像構成部８２は、各時刻のヘモグロビン濃度のピーク位置を繋ぐことにより、図１０中に示されるような矢印を作成する。矢印の方向及び長さから血液量変化の推移を確認することができる。【００２３】
また、立体画像構成部８２は、立体画像の任意の断面画像を作成し（切り出し）表示することができる。図１１は図４の立体画像から抽出される３種類の断面画像の例を示す説明図である。例えば、（ａ）は時間軸に直交する断面である冠状断面トポグラフィ画像、（ｂ）は時間軸に平行かつ鉛直な断面である矢状断面トポグラフィ画像、（ｃ）は時間軸に平行かつ水平な断面である横断面トポグラフィ画像を示している。画像解析部８３は、立体画像構成部８２から得られる立体画像の傾きを計測することにより、語想起課題に起因する反応速度をモニタ９に表示させることができる。具体的には、画像解析部８３は、例えば、図１１（ｂ）に示される時間軸に平行かつ鉛直な断面である矢状断面トポグラフィ画像（断面画像）の着色部と透明部の境界の曲線を微分することにより、矢状断面トポグラフィ画像（断面画像）の傾きを計測する。そして、画像解析部８３は、上記傾きをモニタ９に表示させる。上記傾きが急であれば反応速度が速く、上記傾きが緩やかであれば反応速度が遅いことを、操作者は認識することができる。なお、矢状断面トポグラフィ画像は、時間軸に平行な画像であるが、矢印（ストリームライン）に沿った画像から傾きを計測してもよい。【００２４】
さらに、表示制御部８は、図２に示したようなボディマーク１０ａ、図３に示したようなグラフ群、図４に示したような立体画像、及び図１１に示したような断面画像を適宜組み合わせて表示可能である。例えば、図１２は図３のグラフ群、図４の立体画像及び図１１の冠状断面トポグラフィ画像を組み合わせて表示する例を示す説明図である。図１２における冠状断面トポグラフィ画像は、操作者が指定した時刻ｔｘにおけるヘモグロビン濃度分布を示す２次元トポグラフィ画像を示している。例えば、グラフ群構成部８４は、時刻ｔｘを表すタイムバー１３を各グラフに表示させる。また、立体画像構成部８２は、時刻ｔｘを表す時刻マークとしての計測時刻面１４を立体画像に表示させる。これにより、グラフ群、立体画像及び断面画像を比較しながらの検討が容易になる。
また、表示制御部８は、計測時刻面１４を所定の速度で時間軸方向に沿って移動させるとともに、各グラフ内のタイムバー１３の位置や２次元トポグラフィ画像を画像記憶部８１から読み出し、計測時刻面１４の位置に対応して連続して変化させることができる。【００２５】
このような生体光計測装置では、空間情報（計測面内の情報）を示す２次元トポグラフィ画像に時間情報を合わせ、立体的な表示を行うようにしたので、計測結果情報の時間変化の視覚的な認識を容易にすることができ、これにより疾患判定の効率を向上させることもできる。
ヘモグロビン濃度の変化量の時間的な振る舞いを確認するためには、２次元トポグラフィ画像を時間変化させた動画を繰り返し見たり、図１２に示すようなグラフ群からイメージしたりする必要があったが、この実施の形態の生体光計測装置によれば、立体画像（３次元トポグラフィ画像）により、全計測位置におけるヘモグロビン濃度の時間的な変化を容易に認識することができる。
また、計測結果を印刷して分析したり被検者に説明したりする場合、従来の装置では、１枚又は数枚の特徴的な２次元トポグラフィ画像を選択するか、又は図１２に示すようなグラフ群を選択するしかないので、ヘモグロビン濃度の時間変化の分析や説明が難しかった。これに対して、この実施の形態の生体光計測装置では、立体画像を印刷することにより、ヘモグロビン濃度の時間変化の分析や説明を容易に行うことができる。【００２６】
ここで、図１０に示した立体画像は、健常被検者に対して語想起課題を実施した場合に得られる画像の一例であり、語想起課題の開始（ｔ１）とともに前頭下部領域から酸素化ヘモグロビンの増加が始まり、その後、左右側頭部領域にも酸素化ヘモグロビン増加が広がって行く様子が認識できる。【００２７】
これに対して、図１３は統合失調症被検者の計測結果情報を立体画像として表示した例を示す説明図である。この例では、語想起課題の開始（ｔ１）から遅れを伴って左右側頭部領域から酸素化ヘモグロビンの増加が始まり、語想起課題の終了後（ｔ２）に前頭部領域及び左右側頭部領域において再度酸素化ヘモグロビンの増加があることが確認できる。【００２８】
また、図１４はうつ病被検者の計測結果情報を立体画像として表示した例を示す説明図である。この例では、語想起課題の開始（ｔ１）から遅れを伴って左右側頭部領域から酸素化ヘモグロビンの増加が始まるが、語想起課題の終了後（ｔ２）には酸素化ヘモグロビン濃度の変化が無いことが確認できる。【００２９】
このように、計測結果情報の立体画像には、疾患毎に健常者とで明確に異なる特徴が現れる。このとき、画像解析部８３は、酸素化ヘモグロビンの増加が始まる時刻（ｔ３）を計測することにより、語想起課題に起因する反応開始時間を表示させることができる。具体的には、画像解析部８３は、酸素化ヘモグロビンの増加開始時刻（ｔ３）を計測し、酸素化ヘモグロビンの増加開始時刻（ｔ３）から語想起課題の開始時刻（ｔ１）の時間（ｔ３−ｔ１）を演算する。そして、画像解析部８３は、上記時間をモニタ９に表示させる。操作者は、上記時間から語想起課題に起因する反応開始時間を認識することができる。また、画像解析部８３は、例えば上記時間が０．３秒以上であったら「反応が遅い」又は「統合失調症被検者」又は「うつ病被検者」などと判定したり、画像解析部８３は、上記時間が０．３秒以下であったら「反応が早い」又は「健常被検者」などと判定したりしてもよい。このように、反応開始時間は、疾患判定指標として有用である。【００３０】
図１０と図１４の立体画像からでも明らかであるように、健常被検者の立体画像の体積は、うつ病被検者の立体画像の体積よりも大きいことが一般に知られている。画像解析部８３は、計測結果情報の立体画像の体積を計測する。体積の計測は、主に積分などを用いる。画像解析部８３は、計測した体積から、例えば、「健常被検者」と「うつ病被検者」のタイプを分類することができる。さらに、画像解析部８３は、反応開始時間と立体画像の体積を複合的に用いてタイプを分類してもよい。【００３１】
なお、補間の方法は特に限定されるものではなく、例えば線形補間又はスプライン補間等を用いることができる。実施の形態１では、スプライン補間により立体画像を作成している。
また、計測点のチャンネル数は特に限定されるものではない。
さらに、計測領域は頭部全体であってもよい。この場合、計測領域を複数のブロックに分割し、表示させたいブロックを画面上で選択することにより、そのブロックに対応した立体画像を表示させるようにしてもよい。
【図１】
2007135993.tif 000003
【図２】
2007135993.tif 000004
【図３】
2007135993.tif 000005
【図４】
2007135993.tif 000006
【図５】
2007135993.tif 000007
【図６】
2007135993.tif 000008
【図７】
2007135993.tif 000009
【図８】
2007135993.tif 000010
【図９】
2007135993.tif 000011
【図１０】
2007135993.tif 000012
【図１１】
2007135993.tif 000013
【図１２】
2007135993.tif 000014
【図１３】
2007135993.tif 000015
【図１４】
2007135993.tif 000016
【図１５】
2007135993.tif 000017
【国際調査報告】
2007135993.tif 000018
2007135993.tif 000019
2007135993.tif 000020
2007135993.tif 000021